(57)【要約】【課題】背板部の起伏動作によって操作性が悪化するのを防止したベッド装置を提供する。【解決手段】ベッド装置Ａは、ベッド台１と、ベッド台１上に載置された床板部２とを備えている。床板部２は、ベッド台１に固定された固定板部４と、固定板部４におけるベッド台１の長手方向一端側に配置された背板部３とを備え、背板部３はベッド台１に設けられた背板駆動部６によりベッド台１に対して上下方向に起伏自在に設けられている。また、背板部３には支持アーム７が取付けられ、支持アーム７の先端側には角度調節部９を介して操作器８が回転自在に支持されている。このベッド装置Ａでは、操作器８を操作して背板部３を起伏させると、背板部３の起伏動作に応じて角度調節部９により操作器８が回転し、操作器８の操作面８ａがベッド台１に対して水平となるように調整される。【選択図】図１
2008272215.tif 000002
【特許請求の範囲】
【請求項１】
ベッド本体と、ベッド本体の上面側において着床した利用者の上半身側が載置される部位に上下方向に起伏自在に設けられた背板部と、背板部に取付けられ背板部の角度を調整するための操作を行う操作面を有する操作器と、操作器の操作に応じて背板部を起伏させる駆動部とを備え、背板部の角度に関わらずベッド本体に対する操作面の角度が一定となるように操作器の角度を調節する角度調節手段を設けたことを特徴とするベッド装置。
【請求項２】
ベッド本体と、ベッド本体の上面側において着床した利用者の上半身側が載置される部位に上下方向に起伏自在に設けられた背板部と、背板部の角度を調節するための操作を行う操作器と、操作器の操作に応じて背板部を起伏させる駆動部と、物を置くための載置面を有し背板部に取付けられる補助家具とを備え、背板部の角度に関わらずベッド本体に対する載置面の角度が一定となるように補助家具の角度を調節する角度調節手段を設けたことを特徴とするベッド装置。
【発明の詳細な説明】
【技術分野】
【０００１】
本発明は、リクライニング機能を備えたベッド装置に関するものである。
【背景技術】
【０００２】
従来より、背板部の角度を調整するための操作器が背板部に取付けられたベッド装置があった。このベッド装置は、操作器を支持するためのアームが背板部に取付けられ、アームの先端側に操作器が固定されている。
【０００３】
また、ベッド本体の側部にテーブルが設けられたベッド装置も提案されている（例えば特許文献１参照）。このベッド装置は、ベッド本体の側部に設けられたテーブルが背板部の起伏に応じてベッド本体の長手方向に沿ってスライドするものであった。
【特許文献１】特開平８−２８９８２８号公報（段落[００１１]−段落[００２６]、及び、第１図）
【発明の開示】
【発明が解決しようとする課題】
【０００４】
上述した前者のベッド装置では、背板部の起伏動作に伴って背板部とともに操作器が移動するものではあるが、操作器がアームに固定されているため背板部の角度変化に応じて操作器の角度も変化し操作面がベッド本体に対して水平でなくなるため、ベッドに仰臥している利用者から操作面の表示が見にくく且つ操作がしにくいものであった。
【０００５】
また、後者のベッド装置では、背板部の起伏に伴ってテーブルがベッド本体の長手方向に沿って移動するものであるが、背板部の傾斜角度が大きくなるにつれてベッドに仰臥している利用者からテーブルまでの距離が大きくなるため、テーブル上の物が取りにくくなるという問題があった。
【０００６】
本発明は上記問題点に鑑みて為されたものであり、その目的とするところは、背板部の起伏動作によって操作性が悪化するのを防止したベッド装置を提供することにある。
【課題を解決するための手段】
【０００７】
請求項１の発明は、ベッド本体と、ベッド本体の上面側において着床した利用者の上半身側が載置される部位に上下方向に起伏自在に設けられた背板部と、背板部に取付けられ背板部の角度を調整するための操作を行う操作面を有する操作器と、操作器の操作に応じて背板部を起伏させる駆動部とを備え、背板部の角度に関わらずベッド本体に対する操作面の角度が一定となるように操作器の角度を調節する角度調節手段を設けたことを特徴とする。
【０００８】
請求項２の発明は、ベッド本体と、ベッド本体の上面側において着床した利用者の上半身側が載置される部位に上下方向に起伏自在に設けられた背板部と、背板部の角度を調節するための操作を行う操作器と、操作器の操作に応じて背板部を起伏させる駆動部と、物を置くための載置面を有し背板部に取付けられる補助家具とを備え、背板部の角度に関わらずベッド本体に対する載置面の角度が一定となるように補助家具の角度を調節する角度調節手段を設けたことを特徴とする。
【発明の効果】
【０００９】
請求項１の発明によれば、背板部の角度に応じて角度調節手段により操作器の角度が調節され、ベッド本体に対する操作面の角度が一定に保たれるので、ベッドに仰臥している利用者から操作面の表示が見易く且つ操作し易いという効果がある。
【００１０】
請求項２の発明によれば、背板部の角度に応じて角度調節手段により補助家具の角度が調節され、ベッド本体に対する補助家具の載置面の角度が一定に保たれるので、ベッドに仰臥している利用者が補助家具を利用しやすいという効果がある。
【発明を実施するための最良の形態】
【００１１】
（第１の実施形態）
第１の実施形態を図１及び図２に基づいて説明する。本実施形態のベッド装置Ａは、図１に示すようにベッド台１と、ベッド台１上に載置された床板部２と、床板部２上に載置されたマットレス５とを備えており、ベッド本体１の長手方向一端側にはヘッドボード１ａが立設されている。
【００１２】
床板部２は、複数（本実施形態では４枚）の床板に分割され、ベッド台１の長手方向中央部に固定される固定板部４と、固定板部４におけるベッド台１の長手方向一端側（図１の左側）に配置された第１脚板部１２及び第２脚板部１３と、固定板部４におけるベッド台１の長手方向他端側に配置された背板部３とを備えている。
【００１３】
ベッド台１には、モータやギアなどからなり背板部３をベッド台１に対して上下方向に起伏動作させるための背板駆動部６が設けられている。尚、背板駆動部６のモータには出力軸の回転角度を検出するための角度センサ（図示せず）が設けられている。
【００１４】
一方、背板部３には、ベッド台１に対する背板部３の角度調整を行うための操作器８を支持する支持アーム７が取付けられ、支持アーム７の先端側には角度調節部９を介して操作器８が回転自在に取付けられている。この角度調節部９はモータやギアなどから構成され、操作器８を背板部３の傾斜方向と反対方向に背板部３と同じ角度回転させることで、操作器８の操作面８ａがベッド台１に対して一定の角度（例えば、水平）となるように角度調節を行っている。尚、角度調節部９のモータには出力軸の回転角度を検出するための角度センサ（図示せず）が設けられている。
【００１５】
操作器８は図１中の上面に操作面８ａを有し、操作面８ａには複数の操作釦（図示せず）や背板部３の傾斜角度を表示するための表示モニタ（図示せず）が設けられており、これらの操作釦を操作することによって背板部３の傾斜角度を調整することができる。また、操作器８の内部には、操作釦からの動作指示に応じて背板駆動部６及び角度調節部９に回転指示を与える制御部１１が収納されている。ここに、角度調節部９と制御部１１とで角度調節手段が構成されている。尚、支持アーム７の内部には信号線や動力線（ともに図示せず）が収納されており、これらの信号線及び動力線を介して背板駆動部６のモータ及び角度センサと制御部１１とが電気的に接続されている。また、操作面８ａに設けた操作釦及び表示モニタも図示しないコネクタなどを介して制御部１１に電気的に接続され、角度調節部９のモータ及び角度センサも信号線や動力線（ともに図示せず）を介して制御部１１に電気的に接続されている。
【００１６】
ここで、ベッド装置Ａの動作について図１及び図２に基づいて説明する。複数の操作釦を操作して操作器８から制御部１１に動作指示が与えられると、制御部１１は動作指示に対応する目標角を設定する。それと同時に、制御部１１には背板駆動部６及び角度調節部９に設けた角度センサから現状のモータの出力軸の角度に対応する電気信号がそれぞれ入力され、制御部１１は目標角及びこれらの電気信号を元に実際に回転させるべき角度を設定する。尚、この時、制御部１１は目標角を表示する指示信号を操作器８に出力し、操作器８は操作面８ａの表示モニタに目標角を表示させる。さらに、制御部１１は実際に回転させるべき角度に対応するモータ回転数を背板駆動部６に出力し、背板駆動部６は入力されたモータ回転数に応じてモータを回転させ、図１に示すように背板部３を傾斜（起伏）させる。また同時に、制御部１１は実際に回転させるべき角度に対応するモータ回転数を角度調節部９に出力し、角度調節部９は入力されたモータ回転数に応じてモータを回転させ、操作面８ａがベッド台１に対して水平となるように操作器８の角度を調整する。尚、動作中において、制御部１１には背板駆動部６及び角度調節部９の角度センサから角度に対応する電気信号が逐次入力され、目標角とこれらの電気信号に基づいてフィードバック制御を行っている。
【００１７】
このベッド装置Ａでは、背板部３の傾斜角度（リクライニング角度）に応じて角度調節部９により操作器８の角度が調節され、操作面８ａがベッド台１に対して常に水平に保たれるので、ベッドに仰臥している利用者から操作面８ａの表示が見易くなり且つ操作釦が操作し易くなる。
【００１８】
尚、本実施形態では、操作器８の操作面８ａがベッド台１に対して常に水平となるように角度調節部９により操作器８を回転制御した場合を例に説明したが、操作面の角度は本実施形態に限定されるものではなく、操作器の形状などに応じて利用者が操作し易い一定の角度に調節できるものであればよい。
【００１９】
（第２の実施形態）
第２の実施形態を図３に基づいて説明する。第１の実施形態では、支持アーム７の先端側に角度調節部９を介して操作器８を取付け、背板部３の傾斜角度に関わらず操作器８の操作面８ａがベッド台１に対して常に水平となるように角度調節部９を制御しているが、本実施形態では、支持アーム７の先端側に角度調節部９を介して補助家具（例えば、テーブル１０など）を取付け、背板部３の傾斜角度に関わらずテーブル１０の載置面１０ａがベッド台１に対して常に水平となるように角度調節部９を制御している。それ以外の構成は第１の実施形態と同様であるので、同一の構成要素には同一の符号を付して説明は省略する。尚、図３において操作器は図示していないが、実際には操作器が設けられている。
【００２０】
本実施形態のベッド装置Ａは、背板部３に支持アーム７が取付けられ、支持アーム７の先端側には角度調節部９を介してテーブル１０が回転自在に取付けられている。この角度調節部９は、テーブル１０を背板部３の傾斜方向と反対方向に背板部３と同じ角度回転させることで、テーブル１０の載置面１０ａがベッド台１に対して常に水平となるように角度調節を行っている。
【００２１】
ここで、ベッド装置Ａの動作について図２及び図３に基づいて説明する。複数の操作釦を操作して操作器から制御部１１に動作指示が与えられると、制御部１１は動作指示に対応する目標角を設定する。それと同時に、制御部１１には背板駆動部６及び角度調節部９に設けた角度センサから現状のモータの出力軸の角度に対応する電気信号がそれぞれ入力され、制御部１１は目標角及びこれらの電気信号を元に実際に回転させるべき角度を設定する。尚、この時、制御部１１は目標角を表示する指示信号を操作器に出力し、操作器は操作面の表示モニタに目標角を表示させる。さらに、制御部１１は実際に回転させるべき角度に対応するモータ回転数を背板駆動部６に出力し、背板駆動部６は入力されたモータ回転数に応じてモータを回転させ、図３に示すように背板部３を傾斜（起伏）させる。また同時に、制御部１１は実際に回転させるべき角度に対応するモータ回転数を角度調節部９に出力し、角度調節部９は入力されたモータ回転数に応じてモータを回転させ、載置面１０ａがベッド台１に対して水平となるようにテーブル１０の角度を調整する。尚、動作中において、制御部１１には背板駆動部６及び角度調節部９の角度センサから角度に対応する電気信号が逐次入力され、目標角とこれらの電気信号に基づいてフィードバック制御を行っている。
【００２２】
このベッド装置Ａでは、背板部３の傾斜角度に応じて角度調節部９によりテーブル１０の角度が調節され、テーブル１０の載置面１０ａがベッド台１に対して常に水平に保たれるので、載置面１０ａに置かれた物が落ちることがなく安全である。また、テーブル１０は背板部３に取付けられており、背板部３の起伏動作に伴ってテーブル１０が移動するので、ベッドに仰臥している利用者から載置面１０ａに置かれた物が見易くなり且つ取り易くなる。
【００２３】
尚、本実施形態では、補助家具としてテーブル１０を用いた場合を例に説明したが、補助家具は本実施形態に限定されるものではなく、例えばブックスタンドなどであってもよい。この場合、ベッドの利用者が予め設定したブックスタンドの載置面の角度（すなわち、利用者が本を読みやすい角度）が角度調節手段により背板部の角度に関わらず一定に保たれるので、補助家具を利用しやすいベッド装置を提供することができる。
【図面の簡単な説明】
【００２４】
【図１】第１の実施形態のベッド装置を示す概略図である。
【図２】同上の制御システムのブロック図である。
【図３】第２の実施形態のベッド装置を示す概略図である。
【符号の説明】
【００２５】
１    ベッド台（ベッド本体）
３    背板部
６    背板駆動部
８    操作器
８ａ  操作面
９    角度調節部
Ａ    ベッド装置
【図１】
2008272215.tif 000003
【図２】
2008272215.tif 000004
【図３】
2008272215.tif 000005